(57)【特許請求の範囲】
【請求項１】
被験者の撮影画像と当該撮影画像の付帯情報とを含む実施済検査情報を表示させる表示手段と、
前記表示された前記実施済検査情報の内、選択された前記実施済検査情報を複製する複製手段と、
複数の画像処理に関する情報を記憶する記憶手段と、
前記複製手段により前記実施済検査情報を複製する場合、複製元の前記実施済検査情報に含まれる撮影画像に対して行われた画像処理とは異なる画像処理を複製先の撮影画像に適用する変更手段と、を有することを特徴とする医療用検査装置。
【請求項２】
前記撮影画像の画像処理に関する情報には、前記撮影画像の外部装置への出力を示す情報が含まれることを特徴とする請求項１に記載の医療用検査装置。
【請求項３】
前記変更手段は、前記実施済検査情報に含まれる付帯情報の内、前記撮影画像の撮影失敗情報と前記撮影画像の線量情報との少なくとも一つを変更することを特徴とする請求項１もしくは２に記載の医療用検査装置。
【請求項４】
撮影手技ごとに複数の画像処理パラメータを記憶する画像処理パラメータ記憶手段と、前記複製手段により前記実施済検査情報を複製する場合、複製元の前記実施済検査情報に含まれる撮影画像に対して行われた画像処理とは異なる画像処理の画像処理パラメータを前記画像処理パラメータから選択し、当該選択された画像処理パラメータを複製先の前記実施済検査情報に含まれる撮影画像に適用する画像処理パラメータ変更手段と、を更に有することを特徴とする請求項１に記載の医療用検査装置。
【請求項５】
前記表示手段は、前記複製手段により前記実施済検査情報を複製する場合、複製先の実施済検査情報に含まれる撮影画像を表示させることを特徴とする請求項１乃至４のいずれか１項に記載の医療用検査装置。
【請求項６】
前記表示手段による前記複製先の実施済検査情報に含まれる撮影画像の表示の有効および無効を切り替える切り替え手段を更に有することを特徴とする請求項５に記載の医療用検査装置。
【請求項７】
前記表示手段は、複製元の実施済検査情報と複製先の実施済検査情報とを異なる表示形態で表示させることを特徴とする請求項１に記載の医療用表示装置。
【請求項８】
被験者の撮影画像と当該撮影画像の付帯情報とを含む実施済検査情報を表示させる表示工程と、
前記表示された前記実施済検査情報の内、選択された前記実施済検査情報を複製する複製工程と、
複数の画像処理に関する情報を記憶する記憶工程と、
前記複製工程により前記実施済検査情報を複製する場合、複製元の前記実施済検査情報に含まれる撮影画像に対して行われた画像処理とは異なる画像処理を複製先の撮影画像に適用する変更工程と、を有することを特徴とする医療用検査方法。
【請求項９】
コンピュータを、
被験者の撮影画像と当該撮影画像の付帯情報とを含む実施済検査情報を表示させる表示手段と、
前記表示された前記実施済検査情報の内、選択された前記実施済検査情報を複製する複製手段と、
複数の画像処理に関する情報を記憶する記憶手段と、
前記複製手段により前記実施済検査情報を複製する場合、複製元の前記実施済検査情報に含まれる撮影画像に対して行われた画像処理とは異なる画像処理を複製先の撮影画像に適用する変更手段と、を有することを特徴とする医療用検査装置として機能させるコンピュータ読み取り可能なコンピュータプログラム。
【発明の詳細な説明】
【技術分野】
【０００１】
本発明は、検査情報を処理する医療用検査装置に関するものである。
【背景技術】
【０００２】
近年、病院では、ネットワーク接続による病院情報システムが構築されている。例えば、患者のＸ線撮影が必要と判断されると、ＨＩＳ（Ｈｏｓｐｉｔａｌ  Ｉｎｆｏｒｍａｔｉｏｎ  Ｓｙｓｔｅｍ）端末より検査指示の入力が行われ、依頼先である放射線部門に検査指示が伝達される。
【０００３】
この検査指示の情報もしくは依頼情報は、検査オーダと一般に言われている。この検査オーダには依頼元の部門名や、検査項目、患者の個人データなどの情報が含まれている。      
【０００４】
放射線部門に検査オーダが受信された後、放射線技師は検査オーダに撮影条件などを付加し、Ｘ線検査システムへ転送する。Ｘ線検査システムでは受信した検査オーダに従ってＸ線撮影を実施する。撮影された画像は検査情報に付与し、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）への転送やプリント出力が行われる。尚、撮影された画像は、部位ごとにあらかじめ定められた画像処理を施され表示される。
【０００５】
また、表示された後、ユーザによって画像処理パラメータの調整を行うこともできる。検査によっては、１枚の画像に異なる複数の画像処理を適用して、それぞれの画像を出力する場合もある。
【０００６】
例えば、じん肺検査の場合は、通常の画像処理を適用した画像とは別に、じん肺用に決められた画像処理を適用して出力する。その場合、オリジナルの画像は残したまま、じん肺用の画像処理を適用する場合が多い。
【先行技術文献】
【特許文献】
【０００７】
【特許文献１】特開２００９−７０２０１号公報
【発明の概要】
【発明が解決しようとする課題】
【０００８】
Ｘ線検査システムによるＸ線検査が行われた後、撮影画像は、依頼元の部門名、検査項目、患者の個人データ、撮像画像を外部装置に出力済か否かなどの情報とともに実施済検査情報としてＸ線検査システムに記憶される。
【０００９】
一方、前述のじん肺検査のように一枚の画像に対し複数の画像処理を適用する場合、実施済検査情報の複製処理（コピー）を行うことがある。複製処理を行うことによって、オリジナルの実施済検査情報を残したまま、複製された実施済検査情報の撮影画像に対して画像処理を行うことが可能になる。
【００１０】
検査に関する情報の複製処理として、特許文献１には、過去の読影レポートを複製して現在の読影レポートのテンプレートを作成することが開示されている。引用文献１に開示されている複製処理では、過去画像に関連する情報から現在画像に関連する画像を生成し、現在の読影レポートに適したテンプレートを生成する。
【００１１】
しかしながら、特許文献１に開示されている技術は、現在の読影レポートに適したテンプレートを提供することを目的としたものであり、複製後、前述のじん肺検査のような同一の撮影画像に対して複製元と異なる画像の処理を行うことを目的としたものではない。
【００１２】
本願発明は、上記課題を鑑みてなされたものであり、互いに異なる処理がなされた撮影画像をそれぞれ含む複数の実施済検査情報を容易に生成することを目的とする。
【課題を解決するための手段】
【００１３】
上記課題を解決するため、本発明の医療用検査装置は、被験者の撮影画像と当該撮影画像の付帯情報とを含む実施済検査情報を表示させる表示手段と、前記表示された前記実施済検査情報の内、選択された前記実施済検査情報を複製する複製手段と、前記複製手段により前記実施済検査情報を複製する場合、前記実施済検査情報に含まれる付帯情報の内、複製後に変更対象となる前記撮影画像の画像処理に関する情報を変更する変更手段と、を有することを特徴とする。
【発明の効果】
【００１４】
本発明によれば、互いに異なる処理がなされた撮影画像をそれぞれ含む複数の実施済検査情報を容易に生成することが出来る。
【図面の簡単な説明】
【００１５】
【図１】第一の実施形態における医療検査システムの構成図である。
【図２】第一の実施形態における医療検査システムのＸ線撮影装置制御部の構成図である。
【図３】第一の実施形態における医療用検査装置の動作を表すフローチャートである
【図４】実施済検査をリストで一覧表示した場合の画面例である。
【図５】検査コピーを実施した際の画面例である。
【図６】本システムの第二の実施形態のＸ線撮影装置制御部の構成図である。
【図７】第二の実施形態におけるフローチャートである。
【図８】画面遷移に関する設定画面の例を示した図である。
【図９】画像処理パラメータの例を示した図である。
【発明を実施するための形態】
【００１６】
（第一の実施形態）
図１は、本実施形態における医療用検査システムの機能構成の一例を示すブロック図である。
【００１７】
Ｘ線撮影装置１０６は、Ｘ線を照射するＸ線管球１０２、Ｘ線管球１０２を制御するＸ線発生装置制御部１０３、センサ１００から成るセンサユニット１０１、Ｘ線撮影を制御するＸ線撮影装置制御部１０４で構成される。１０５はＸ線撮影装置１０６の表示部であり、検査情報や撮影画像を表示する。また、１０５はＸ線撮影装置１０６の操作入力部であり、検査情報の入力や、画像処理の操作、検査進行指示等を行う。更に１０５は、磁気カードやバーコードリーダー等の外部装置の入力を含む。
【００１８】
Ｘ線撮影装置制御部１０４は、ＲＩＳ  １０８から受信した検査オーダ、もしくは操作者が操作入力部１０５により入力した検査オーダを表示部１０５に表示し、選択された撮影プロトコルに応じた、管電流や管電圧、照射時間等の撮影条件をＸ線発生装置制御部１０３へ送る。Ｘ線発生装置制御部１０３は、照射ボタンが押されると撮影条件に応じてＸ線管球１０２に高電圧をかけ、Ｘ線を発生させる。センサユニット１０１は、センサ１００で検出された被検者の透過Ｘ線量に相当する電荷をＡ／Ｄ変換し、Ｘ線デジタル画像としてＸ線撮影装置制御部１０４へ転送する。Ｘ線撮影装置制御部１０４は、受信したＸ線デジタル画像に対し、操作者が選択した撮影プロトコルに紐づく画像処理パラメータに基づいて、様々な補正処理や画像処理を施す。そして、画像処理後のＸ線デジタル画像をＰＡＣＳ  １０９へ保存すると共に、Ｖｉｅｗｅｒ１１０やプリンタ１１１に出力し、診断が行われる。
【００１９】
本実施形態におけるＸ線撮影システムは、Ｘ線デジタル画像を撮影するＸ線撮影装置１０６を備える。更に、放射線部門内の情報システムであるＲＩＳ  １０８、Ｘ線撮影装置１０６で撮影したＸ線デジタル画像を保存・管理するＰＡＣＳ  １０９、診断用Ｘ線デジタル画像を表示するＶｉｅｗｅｒ  １１０やプリンタ  １１１を備え、ネットワーク１０７で接続される。
【００２０】
図２は、図１における、医療用検査装置として機能するＸ線撮影装置制御部１０４の詳細を記したブロック図の一例である。尚、本実施形態における医療用検査装置の少なくとも一部は、ＣＰＵ、ＲＡＭなどから構成される一般的なコンピュータと同様の構成になっており、以下に説明する各機能の少なくとも一部は、当該コンピュータのＲＡＭに格納されたコンピュータプログラムを実行することによって達成される。
【００２１】
図２において、２０１は検査オーダを入力する検査オーダ受信部２０１である。検査オーダは撮影対象である患者情報と撮影内容などから構成される。検査オーダはＲＩＳなどの外部システムから入力される。
【００２２】
２０２は、デジタルＸ線撮影装置で撮影された放射線画像を医療用検査システムへ入力する画像受信部２０２である。ネットワークを介して入力される場合やＣＤ−ＲＯＭやＤＶＤなどのメディアを経由して入力される場合もある。
【００２３】
２０３は実施済検査情報記憶部２０３である。検査（Ｘ線撮影）終了後、画像受信部２０２から入力された撮影画像は検査オーダ受信部２０１から入力された検査情報（付帯情報）と関連付けられて、実施済検査情報記憶２０３に記憶される。
【００２４】
２０４はＣＲＴや液晶モニターなどの表示装置に、放射線画像や検査情報を表示する表示部２０４である。表示部２０４は表示手段として機能し、実施済検査記憶部２０３に記憶された実施済検査情報もここに一覧表示される。
【００２５】
２０５は、表示部２０４に表示された放射線画像や検査オーダに対して、検査の選択や、複製などの指示を行うマウスやキーボードなどの操作入力部２０５である。
【００２６】
２０６は検査情報複製部２０６である。検査情報複製部２０６は複製手段として機能し、ユーザの操作により操作入力部２０５によって選択された検査の複製が指示されると検査情報の複製を行う。
【００２７】
２０７は検査情報変更部２０７である。検査情報変更部２０７は変更手段として機能し、検査情報複製部２０６によって複製された検査情報（付帯情報）の一部の情報を変更する。変更される情報は、撮影画像の画像処理に関する情報であり、特に、対象の検査がじん肺検査である場合、周波数成分ごとの階調変換に関する処理のパレメータを変更する。また、検査情報に含まれる出力結果情報（撮影画像の外部出力情報）はここでクリアされ、撮影画像の撮影失敗情報や撮影画像の線量情報などを変更することも可能である。
【００２８】
２０８は、画像や検査情報御を外部に転送するための検査情報出力部２０８である。
【００２９】
２０９は、各部２０１〜２０８を相互に接続するシステムバス２０９である。
【００３０】
次に、図３に示すフローチャートを用いて、本実施形態における医療用検査装置の動作について具体的に説明する。
【００３１】
図３において、ステップＳ３０１では、実施済の検査情報（実施済検査情報）を読み込み、ステップＳ３０２で実施済検査情報を表示部２０４に一覧表示する。
【００３２】
ステップＳ３０３でユーザからの入力の有無を確認し、ユーザからの入力があるまで待機する。ステップＳ３０３において、ユーザからの入力が行われるとステップＳ３０４へ進み、入力された内容が検査選択だったか否かを判定する。
【００３３】
検査選択以外の指示だった場合、ステップＳ３０５へ進み、入力内容に沿ったその他の処理を実行する。
【００３４】
検査選択だった場合は、選択された実施済検査情報を他の実施済検査情報と異なる表示形態で表示部２０４に表示し、ステップＳ３０６へ進み、再度入力があるまで待機する。
【００３５】
Ｓ３０６において選択された実施済検査情報に対する入力が行われるとステップＳ３０７へ進み、入力された内容が検査コピー（複製）の指示だったか否かを判定する。
【００３６】
検査コピー以外の指示だった場合、ステップＳ３０５へ進み、入力内容に沿ったその他の処理を実行する。
【００３７】
検査コピーの指示だった場合は、ステップＳ３０８へ進み、選択された実施済検査情報の検査コピーを行う。
【００３８】
ステップＳ３０８における検査コピー実施後、ステップＳ３０９では、コピーされた検査に出力結果情報が含まれているかどうか判断する。ここで、出力結果情報とは、実施済検査情報に含まれる撮影画像が外部装置に出力されことを示す情報である。
【００３９】
出力結果情報が含まれていると判断されると、ステップＳ３１０にて出力結果情報をクリアする。これは、複製により生成された実施済検査情報に含まれる撮影画像は、複製元の実施済検査情報と異なる画像処理を行った後に外部装置に出力する可能性が高いためである。出力結果情報をクリアすることにより、外部装置への撮影画像の出力が制限されてしまうことを防止することが出来る。
【００４０】
その後、ステップＳ３１１で複製により生成された実施済検査情報を含め、実施済検査の一覧の再表示を行う。
【００４１】
図４は、実施済検査の一覧表示の例である。実施済検査表示画面４０１には、撮影画面へ切り替える撮影ボタン４０２と各種設定を切り替えるシステムボタン４０３が画面上部に配置されている。
【００４２】
実施済検査リスト４０５にはこれまで実施された検査情報が一覧表示されており、検索領域４０４で値を入力することで自動的に絞り込むことが出来る。
【００４３】
マウスカーソル４０６を用いてリスト上の検査４０７を選択すると、選択された検査情報が患者情報表示部４０８と検査情報表示部４０９に表示される。また、削除ボタン４１０を用いて選択した検査情報の削除を実施することもできる。
【００４４】
検査コピー４１１ボタンを押下すると、選択されている検査情報をコピーすることができる。更に、再生ボタン４１２を押下すると検査情報に含まれている撮影画像を再生することができる。
【００４５】
図５は、図４に示す検査コピー４１１ボタンを押下して、検査コピーを実行した画面である。選択されていた検査情報がコピーされて実施済検査リストに追加５０１されている。ただし、出力結果情報５０２はコピーされておらず、また属性５０３にはコピーされたことを示す表示が行われている。このように、コピー元とコピー先との実施済検査情報を異なる表示形態で表示することにより、ユーザはそれぞれの見分けが容易になる。
【００４６】
（第二の実施形態）
図６は、本実施形態における医療用検査システムの機能構成の一例を示すブロック図である。
【００４７】
図２に示したブロック図に対し、次の機能が追加されている。
【００４８】
６１０は画像処理パラメータ記憶部である。画像処理パラメータ記憶部は画像処理パラメータ記憶手段として機能し、撮影手技ごとに１つまたは複数の画像処理パラメータが記憶されている。
【００４９】
６１１は画像処理パラメータ適用部である。撮影した画像に対して、画像処理パラメータ記憶部６１０から選択された画像処理パラメータが読み込まれて画像処理パラメータを基に画像処理パラメータ適用部６１１で画像処理が出来るようにされる。また、検査コピー時にはコピー元とは異なる画像処理パラメータが適用される。
【００５０】
６１２は画面遷移制御部であり、検査コピーが実行されると設定に応じ自動的にコピーされた検査に含まれる画像を表示する画面に遷移するように制御する。コピーされた検査に含まれる画像は表示部２０４に表示される。
【００５１】
次に、図７に示すフローチャートを用いて、本実施形態における医療用検査装置の動作について具体的に説明する。
【００５２】
図７において、ステップＳ７０１では、実施済の検査情報（実施済検査情報）を読み込み、ステップＳ７０２で実施済検査情報を表示部２０４に一覧表示する。
【００５３】
ステップＳ７０３でユーザからの入力の有無を確認し、入力があるまで待機する。
【００５４】
ユーザからの入力が行われるとステップＳ７０４へ進み、入力された内容が検査選択だったか否かを判定する。
【００５５】
検査選択以外の指示だった場合、ステップＳ７０５へ進み、入力内容に沿ったその他の処理を実行する。
【００５６】
検査選択だった場合は、選択された実施済検査情報を他の実施済検査情報と異なる表示形態で表示部２０４に表示し、ステップＳ７０６へ進み、再度入力があるまで待機する。
【００５７】
Ｓ７０６において選択された実施済検査情報に対する入力が行われるとステップＳ７０７へ進み、入力された内容が検査コピー（複製）の指示だったか否かを判定する。
【００５８】
検査コピー以外の指示だった場合、ステップＳ７０５へ進み、入力内容に沿ったその他の処理を実行する。
【００５９】
検査コピーの指示だった場合は、ステップＳ７０８へ進み、検査コピーを行う。
【００６０】
検査コピー実施後、ステップＳ７０９でコピーされた検査に出力結果情報が含まれているかどうか判断する。
【００６１】
出力結果情報が含まれていると判断されると、ステップＳ７１０にて出力結果情報をクリアする。これは、複製により生成された実施済検査情報に含まれる撮影画像は、複製元の実施済検査情報と異なる画像処理を行った後に外部装置に出力する可能性が高いためである。出力結果情報をクリアすることにより、外部装置への撮影画像の出力が制限されてしまうことを防止することが出来る。
【００６２】
その後、ステップＳ７１１では検査に含まれる画像に対応する画像処理パラメータを読み込む。ステップＳ７１２では、ステップＳ７１１で読み込んだ画像処理パラメータを画像に適用する。画像処理パラメータが複数ある手技の場合は、コピー元（複製元）とは異なる第二の画像処理パラメータを複製先の実施済検査情報に含まれる撮影画像に適用する。
【００６３】
ステップＳ７１３では自動再生モードか否かを判定する。自動再生モードの場合はＳ７１４に進み、コピーされた検査に含まれる画像を自動的に再生する。自動再生モードとは、選択された実施済検査に含まれる撮影画像を再生するモードである。
【００６４】
自動再生モードがＯＦＦの場合はステップＳ７１５で複製された検査を含め、実施済検査の一覧の再表示を行う。
【００６５】
図８は、検査コピー実施時の画面遷移を設定する画面８０１である。チェックボックス８０２をＯＮにし、確定ボタン８０４を押下することで、検査コピー実行時に自動的に再生画面に遷移することができる。なお、設定変更を無効にする場合はキャンセルボタン８０３を押下する。画面遷移制御部６１２は、切り替え手段として機能し、上記画面遷移の有効および無効の切り替えを行う。
【００６６】
図９は、画像処理パラメータの例を示した図である。胸部正面の画像に対する画像処理パラメータが一般パラメータ９０１とじん肺パラメータ９０２の２種類用意されている。本で、胸部正面の画像を含む検査をコピーした場合、オリジナル画像に一般パラメータが適用されていれば、自動的にじん肺パラメータを適用してコピーされる。
【００６７】
（他の実施形態）
本実施形態では出力済結果をコピー不要と判断と判断したが、撮影画像の処理に関わる情報を変更することが出来れば良く、出力済結果に限るものではない。
【００６８】
また、上記実施形態の機能を実現する様に各種のデバイスを動作させる様に該各種デバイスと接続された装置あるいはシステム内のコンピュータに、前記実施形態機能（例えば、図２のフローチャートにより実現される機能）を実現するためのコンピュータプログラムコードを供給してもよい。当該コンピュータプログラムがコンピュータ読み取り可能な記録媒体に格納される。そして、そのシステムあるいは装置のコンピュータ（ＣＰＵあるいはＭＰＵ）を格納されたコンピュータプログラムを読み取り、前記各種デバイスを動作させることによって実施したものも本発明の範疇に含まれる。
【００６９】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００７０】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることが出来る。
【００７１】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００７２】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【図１】
0006004704.tif 000002
【図２】
0006004704.tif 000003
【図３】
0006004704.tif 000004
【図４】
0006004704.tif 000005
【図５】
0006004704.tif 000006
【図６】
0006004704.tif 000007
【図７】
0006004704.tif 000008
【図８】
0006004704.tif 000009
【図９】
0006004704.tif 000010